(57)【要約】【課題】  様々な機能を備えることにより利用する機能ごとに操作キーの操作内容が異なるようになっている場合でも、操作キーの操作内容について混乱が生じることを防いで、操作性を向上させることができる携帯電子機器を提供する。【解決手段】  操作内容を説明する複数の図柄が所定の領域３２ａに図示されている筐体２４と、所定の領域を覆うように筐体に固定される透過式タッチパネル２８と、表示動作が可能な表示領域で表示動作を行なわない部分の領域が光を透過するようになっていて、所定の領域と透過式タッチパネルとの間に固定される第１の表示部３０とを備えて、表示領域内の表示動作を行なっていない部分の領域であって複数の図柄のいずれかに対応する透過式タッチパネル上の位置を押下した場合に、この図柄の機能に対応する処理が実行されるようにした。【選択図】      図１
2005244810.tif 000002
【特許請求の範囲】
【請求項１】
操作内容を説明する複数の図柄が所定の領域に図示されている筐体と、
前記所定の領域を覆うように前記筐体に固定される透過式タッチパネルと、
表示動作が可能な表示領域で表示動作を行なわない部分の領域が光を透過するようになっていて、前記所定の領域と前記透過式タッチパネルとの間に固定される第１の表示部とを備えて、
前記表示領域内の表示動作を行なっていない部分の領域であって前記複数の図柄のいずれかに対応する前記透過式タッチパネル上の位置を押下した場合に、この図柄の機能に対応する処理が実行されることを特徴とする携帯電子機器。
【請求項２】
前記筐体に第２の表示部を備えて、
前記第１の表示部に操作キー及び／又はアイコンが表示されているときに、前記タッチパネルにおけるこの操作キー及び／又はアイコンのいずれかに対応する位置が押下された場合に、前記第２の表示部が操作キー又はアイコンに対応する表示動作を行なうことを特徴とする請求項１に記載の携帯電子機器。
【請求項３】
前記第２の表示部にリンクデータが対応付けられた文書等を表示しているときに、この文書等のリンクデータを表示する操作が行なわれた場合には、このリンクデータを前記第１の表示部に表示させるようにした請求項１又は請求項２に記載の携帯電子機器。
【請求項４】
前記第２の表示部にリンクデータが対応付けられた文書等を表示しているときに、この文書等のリンクデータを表示する操作が行なわれた場合であって、このリンクデータが画像データである場合には、このリンクデータを前記第１の表示部に表示させ、
前記リンクデータが画像データでない場合には、このリンクデータを前記第２の表示部に表示させるようにした請求項１又は請求項２に記載の携帯電子機器。
【請求項５】
前記第１の表示部にリンクデータが表示された場合には、このリンクデータを表示させる操作を行なう前の状態に復帰するための復帰キーを第１の表示部における前記表示領域内であってリンクデータを表示している領域の外側に表示する共に、前記透過式タッチパネルはこの復帰キーに対応する位置を押下する操作を受付け可能にすることを特徴とする請求項４に記載の携帯電子機器。
【請求項６】
前記筐体に図示されている複数の図柄及び前記第１の表示部に表示されている操作キーの中で所定の操作の対象となる図柄又は操作キーを、他のものと異なる態様で前記第１の表示部に表示するようにしたことを特徴とする請求項１ないし請求項５のいずれか一に記載の携帯電子機器。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）及び携帯ゲーム機等のように、操作部とＬＣＤ（液晶ディスプレイ）等の表示部を備える携帯電子機器に関するものである。
【背景技術】
【０００２】
従来において、携帯電話機、ＰＤＡ（Ｐｅｒｓｏｎａｌ  Ｄｉｇｉｔａｌ  Ａｓｓｉｓｔａｎｔ）及び携帯ゲーム機等のように、操作部とＬＣＤ（液晶ディスプレイ）等の表示部を備える携帯電子機器があった。
【０００３】
このような携帯電子機器は、その多機能化に伴なって、操作が複雑化しており、操作部における各操作キーは、利用する機能やその動作の状況に応じて、その操作内容が異なるようになっていた。そのため、複数の機能を備える携帯電子機器は、ユーザーが操作キーの操作内容について混乱することがないように、その操作性を向上することが常に要請されていた。
【０００４】
一方、このような従来の携帯電子機器における操作キーの操作内容について混乱を生じるおそれがあるのと同様に、例えば、テレビ受像機のリモコンの操作によりテレビ番組を変更するような場合に、地方によりテレビ放送局の指定チャンネルが異なるために、このリモコンにおける操作キーとその操作内容である指定チャンネルの対応について混乱するおそれがあった。
【０００５】
このようなリモコン装置における操作キーと操作内容の対応についての混乱を解消するため、図６に示すように、単一の本体ケース２と、この本体ケース２内に着脱自在に収納されるボード４で構成されるリモコン装置６があった（例えば、特許文献１参照）。
【０００６】
このリモコン装置６は、本体ケース２の一方の面に透明のタッチパネル８を備えていることにより、収納したボード４に記載されている複数の操作内容をタッチパネル８越しに確認することができるようになっていて、このタッチパネル８の操作は、ボード４に記載されている所定の操作内容に対応する位置を押下することにより行なうようになっていた。
【０００７】
また、ボード４は、何種類か用意されていて、種類ごと異なる操作内容が記載されていると共に、本体ケース２は、ボード４の突起の位置に基づいてこのボード４の種類を判断して、タッチパネル８における所定の位置が押下されたときに実行する操作内容を変更するようになっていた。そのため、地方によりテレビ放送局の指定チャンネルが異なるような場合でも、ボード４を取り換えることにより、同一の操作に対して実行する操作内容を変更して対応することができるようになっていた。
【特許文献１】特開平９−２７１０８２号公報
【発明の開示】
【発明が解決しようとする課題】
【０００８】
しかしながら、前記特許文献１のリモコン装置６のような構成を従来の携帯電子機器に適用することとすると、携帯電子機器が備える機能の種類が多いほど、ボード４の枚数が増えてしまう等の難点があるため、却って混乱を生じて実用性に欠けるという問題があった。
【０００９】
そこで本発明は、上記問題点に鑑みて、様々な機能を備えることにより利用する機能ごとに操作キーの操作内容が異なるようになっている場合でも、操作キーの操作内容について混乱が生じることを防いで、操作性を向上させることができる携帯電子機器を提供することを課題とするものである。
【課題を解決するための手段】
【００１０】
上記課題を解決するために、本発明による電子機器は、
操作内容を説明する複数の図柄が所定の領域に図示されている筐体と、
前記所定の領域を覆うように前記筐体に固定される透過式タッチパネルと、
表示動作が可能な表示領域で表示動作を行なわない部分の領域が光を透過するようになっていて、前記所定の領域と前記透過式タッチパネルとの間に固定される第１の表示部とを備えて、
前記表示領域内の表示動作を行なっていない部分の領域であって前記複数の図柄のいずれかに対応する前記透過式タッチパネル上の位置を押下した場合に、この図柄の機能に対応する処理が実行されることを特徴とするものである。
【００１１】
また、本発明による電子機器は、
前記筐体に第２の表示部を備えて、
前記第１の表示部に操作キー及び／又はアイコンが表示されているときに、前記タッチパネルにおけるこの操作キー及び／又はアイコンのいずれかに対応する位置が押下された場合に、前記第２の表示部が操作キー又はアイコンに対応する表示動作を行なうことを特徴とするものである。
【００１２】
また、本発明による電子機器は、
前記第２の表示部にリンクデータが対応付けられた文書等を表示しているときに、この文書等のリンクデータを表示する操作が行なわれた場合には、このリンクデータを前記第１の表示部に表示させるようにしたことを特徴とするものである。
【００１３】
また、本発明による電子機器は、
前記第２の表示部にリンクデータが対応付けられた文書等を表示しているときに、この文書等のリンクデータを表示する操作が行なわれた場合であって、このリンクデータが画像データである場合には、このリンクデータを前記第１の表示部に表示させ、
前記リンクデータが画像データでない場合には、このリンクデータを前記第２の表示部に表示させるようにしたことを特徴とするものである。
【００１４】
また、本発明による電子機器は、
前記第１の表示部にリンクデータが表示された場合には、このリンクデータを表示させる操作を行なう前の状態に復帰するための復帰キーを第１の表示部における前記表示領域内であってリンクデータを表示している領域の外側に表示する共に、前記透過式タッチパネルはこの復帰キーに対応する位置を押下する操作を受付け可能にすることを特徴とするものである。
【００１５】
また、本発明による電子機器は、
前記筐体に図示されている複数の図柄及び前記第１の表示部に表示されている操作キーの中で所定の操作の対象となる図柄又は操作キーを、他のものと異なる態様で前記第１の表示部に表示するようにしたことを特徴とするものである。
【発明の効果】
【００１６】
このような本発明の携帯電子機器によれば、様々な機能を備えることにより利用する機能ごとに操作キーの操作内容が異なるようになっている場合でも、操作キーの操作内容について混乱が生じることを防いで、操作性を向上させることができる。
【発明を実施するための最良の形態】
【００１７】
以下、本発明に係る重ね型携帯端末装置の実施の形態について、図面に基づいて具体的に説明する。
【００１８】
図１ないし図５は、本発明の一実施の形態に係る携帯電話機２０（携帯電子機器に相当）について説明するために参照する図である。これらの図に示される部材や表示画像は、図中における手前側の部材等に隠れる場合であっても、この手前側の部材等が透明である場合には、実線で表すものとする。
【００１９】
図１に示すように、本実施の形態に係る携帯電話機２０は、互いに折畳み自在に連結される第１筐体２２と第２筐体２４を備えており、この第２筐体２４に操作部２６を備えている。
【００２０】
なお、特に図示しないが、本発明の一実施例に係る携帯電話機２０は、制御部を有し、この制御部の指示により図示しない無線部及びアンテナを用いて、無線通信基地局等を介して通信ネットワークに接続され、他の様々な通信端末と通信を行い、メールの送受信や画像データなどを通信ネットワークに接続されるサーバからダウンロードを行なったりする。これらの制御に用いられるプログラムや、制御部により取得したメールなどのデータは記憶部に格納される。また、制御部は、後述の透過式タッチパネル２８などの操作手段全般の入力の検出の他、操作手段全般からの操作や無線部等を介しての着信などがなされた際の第１の表示部３０や第２の表示部３４の表示などについても制御を行う。また、これらの制御部や無線部、アンテナ、記憶部、操作手段全般、液晶ディスプレイや第１の表示部３０などの表示手段全般について給電を行うバッテリーをさらに有している。
【００２１】
図２に示すように、操作部２６は、透過式タッチパネル２８と、液晶ディスプレイである第１の表示部３０を備えている。この透過式タッチパネル２８と第１の表示部３０は、第２筐体２４に形成された一定深さの凹部３２に、その深さ方向の中間位置で固定されている。透過式タッチパネル２８は、その一方の面が外側に露出するように配置され、第１の表示部３０は、凹部３２の底面３２ａと透過式タッチパネル２８の間に配置されている。
【００２２】
この凹部３２の底面３２ａは、その平面形状が、この凹部３２の開口側の平面形状と同一であり、図１に示すように、矩形であって所定の領域を有するようになっている。そして、この凹部３２の底面３２ａには、複数の操作キーの図柄が印刷されていて、各図柄が有する枠の内側には、この図柄に対応する操作内容の説明が記載されている。例えば、操作内容の説明として「１」が記載されている操作キーの図柄は、数字の「１」を入力する操作に対応していることが分かる。
【００２３】
底面３２ａには、数字の「１」ないし「９」、「０」、「＊」及び「＃」の入力を操作内容とするテンキーの図柄５０、特定の機能の起動を操作内容とするファンクションキーの図柄５２ａ，５２ｂ，５２ｃ，５２ｄ、及び方向の指示を操作内容とする方向指示キーの図柄５４が印刷されている。
【００２４】
図２に示すように、透過式タッチパネル２８及び第１の表示部３０は、底面３２ａを覆うようになっているが、透過式タッチパネル２８は透明であるため、光を透過するようになっている。
【００２５】
また、第１の表示部３０は、底面３２ａを覆っている領域の全部が、表示領域として文字や画像等を表示することができるようになっており、この表示領域において文字や画像等を表示した場合には、その表示内容を透過式タッチパネル２８越しに外側から見ることができる。
【００２６】
そして、この第１の表示部３０は、その表示領域内における表示動作を行なっていない部分の領域では、光を透過するようになっているので、この部分の領域では透過式タッチパネル２８及び第１の表示部３０の両方を通して、外側から底面３２ａに印刷されている図柄を見ることができるようになっている。
【００２７】
したがって、第１の表示部３０における表示領域で全く表示動作が行なわれていない場合には、図１に示すように、透過式タッチパネル２８及び第１の表示部３０の両方を通して、外側から底面３２ａに印刷されているテンキーの図柄５０、ファンクションキーの図柄５２ａ，５２ｂ，５２ｃ，５２ｄ、及び方向指示キーの図柄５４の全部を見ることができるようになっている。
【００２８】
なお、特に図示していないが、第１の表示部にはバックライトが備えられている。このバックライトは、第１の表示部３０の裏面に構成された透明な樹脂で形成される薄板の導光体、この導光体の周縁部に設けられるＬＥＤなどの発光素子により構成される。発光素子が発光すると、その光が導光体の中を屈折を繰り返しながら透過してタッチパネル側に放出され、外部からは第１の表示部３０が発光しているように外部から見やすくなる。また、本実施の形態とは異なる別の実施の形態として、第１の表示部３０に有機ＥＬを用いたときには、このバックライトの構成は不要となり、より薄型化することができる。
【００２９】
携帯電話機２０は、このように外側から操作部２６の底面３２ａの全体を見ることができる状態であるときに、透過式タッチパネル２８における底面３２ａのテンキーの図柄５０、ファンクションキーの図柄５２ａ，５２ｂ，５２ｃ，５２ｄ、及び方向指示キーの図柄５４のいずれかに対応する位置を押下すると、これに対応する操作内容の処理動作を行なうようになっている。
【００３０】
したがって、ユーザーは、底面３２ａのテンキーの図柄５０、ファンクションキーの図柄５２ａ，５２ｂ，５２ｃ，５２ｄ、及び方向指示キーの図柄５４を確認した後に、透過式タッチパネル２８を操作するようになるので、従来の携帯電話機における操作キーと同様に認識して操作するようになっている。
【００３１】
また、携帯電話機２０の第１筐体２２には、液晶ディスプレイ等の第２の表示部３４が設けられていて、この第２の表示部３４は、操作部２６の操作に対応して、所定の表示動作を行なうようになっている。
【００３２】
例えば、図示しないが、操作部２６の底面３２ａの全体を見ることができる状態のときに、文字入力の操作として、テンキーの図柄５０におけるその操作内容が「１」であるものに対応する透過式タッチパネル２８上の位置を押下すると、第２の表示部３４には「１」の数字が出力される。
【００３３】
また、携帯電話機２０は、操作部２６とは別に、第２筐体２４の側面に第１のサイドキー３５及び第２のサイドキー３６を備えている。第１のサイドキー３５は、操作部２６の透過式タッチパネル２８を起動（ＯＮ）又は動作終了（ＯＦＦ）させるためのスイッチである。
【００３４】
また、第２のサイドキー３６は、操作部２６の第１の表示部３０に、底面３２ａに印刷されているテンキーの図柄５０、ファンクションキーの図柄５２ａ，５２ｂ，５２ｃ，５２ｄ、及び方向指示キーの図柄５４とは異なる他の操作キーの図柄を新たに表示させる場合や、このように第１の表示部３０に表示させた操作キーの図柄を、さらに、別の操作キーの図柄に変更する場合の操作に用いるものである。
【００３５】
例えば、この第２のサイドキー３６を操作することにより、図３に示すように、第１の表示部３０の表示領域に、底面３２ａのテンキーの図柄５０、ファンクションキーの図柄５２ａ，５２ｂ，５２ｃ，５２ｄ、及び方向指示キーの図柄５４に代えて、新たにテンキーの図柄５６、ファンクションキーの図柄５８ａ，５８ｂ，５８ｃ，５８ｄ、及び方向指示キーの図柄６０を表示させることができるようになっている。
【００３６】
さらに、第１の表示部３０における図柄の切り替え動作を別のパターンについても説明する。前述の説明どおり、透過式タッチパネル２８の操作により制御部は第２の表示部３４の表示を切り替えるが、特定の操作がなされた場合や特定の表示を第２の表示部３４に行った場合については、第１の表示部３０に透過式タッチパネル２８による操作を切り替えるために、操作内容の異なる操作キーの表示に切り替える制御も行う。例えば、メール作成などの文字を入力するモードに切り替える場合の話を説明する。
【００３７】
図１に示す状態において、メール作成を指示する操作、つまり図柄５２ｂの対応する場所の透過式タッチパネル２８を操作すると、図３に示すようにメールの作成画面を第２の表示部３４に表示させる。
【００３８】
第１の表示部３０に表示したファンクションキーの図柄５８ａ，５８ｂ，５８ｃ，５８ｄ、及び方向指示キーの図柄６０のそれぞれは、底面３２ａに印刷されているファンクションキーの図柄５２ａ，５２ｂ，５２ｃ，５２ｄ、及び方向指示キーの図柄５４と同一であるが、第１の表示部３０に表示したテンキーの図柄５６は、底面３２ａに印刷されているテンキーの図柄５０とは異なって、その操作内容が平仮名の入力になっている。
【００３９】
そして、携帯電話機２０は、第１の表示部３０に操作内容が平仮名の入力であるようなテンキーの図柄５６を表示させているときには、透過式タッチパネル２８におけるテンキーの図柄５６に対応する位置を押下することにより、平仮名を入力することができるようになっている。
【００４０】
また、この携帯電話機２０は、第１の表示部３０に操作内容が平仮名の入力であるようなテンキーの図柄５６が表示されているときに、第２のサイドキー３６が文字入力方式の切り替えとして操作が行なわれた場合には、図示しないが、操作内容が英字の入力であるようなテンキーの図柄を第１の表示部３０に表示させるようになっていて、英字の入力を行なうことができるようになっている。
【００４１】
また、第１の表示部３０は、その一部の表示領域についてのみでも表示動作を行なわせることができるようになっている。例えば、図４に示すように、第１の表示部３０は、底面３２ａに印刷されたテンキーの図柄５０が見えるようにするため、この部分に対応する表示領域では表示動作を行なわないようにすると共に、他の部分の領域において、底面３２ａに印刷されているファンクションキーの図柄５２ａ，５２ｂ，５２ｃ，５２ｄ及び方向指示キーの図柄５４に代えて、別のファンクションキーの図柄６２ａ，６２ｂ，６２ｃ及び方向指示キーの図柄６４を表示するようになっている。
【００４２】
このようなときに携帯電話機２０は、透過式タッチパネル２８上の押下された位置が、第１の表示部３０において表示動作を行なっていない部分の表示領域である場合には、底面３２ａのテンキーの図柄５０に対応する処理動作を行なうようになっている。
【００４３】
そして、透過式タッチパネル２８上の押下された位置が、第１の表示部３０において表示動作を行なっている部分の表示領域である場合には、その表示されているファンクションキーの図柄６２ａ，６２ｂ，６２ｃ又は方向指示キーの図柄６４のいずれかに対応する処理動作を行なうようになっている。
【００４４】
また、第１の表示部３０には、所定の操作の対象となる操作キーの図柄を、他のものと異なる態様で表示させることができるようになっている。
【００４５】
このような異なる態様の表示について、図４に示すように、データの名称が「ｘｘｘ１．ｊｐｇ」、「ｘｘｘ２．ｊｐｇ」及び「ｘｘｘ３．ｊｐｇ」である複数の画像のリンクデータが対応づけられた電子メールの文書が、この複数の画像のリンクデータの名称と共に第２の表示部３４に表示されているような場合に即して説明する。
【００４６】
ユーザーが、この複数のリンクデータの中から、その１つを選択した後に、そのリンクデータを表示処理させるように決定するときには、透過式タッチパネル２８における方向指示キーの図柄６４に対応する位置を押下することにより、いずれかのリンクデータを選択する操作を行なった後に、ファンクションキー６２ｂに対応する位置を押下することにより、選択したリンクデータを表示処理する決定の操作を行なうことになる。
【００４７】
また、このような操作手順とは別に、テンキーの図柄５０の「１」、「２」又は「３」のいずれかに対応する透過式タッチパネル２８上の位置を押下する操作を行なえば、複数のリンクデータの中から、その１つを選択する操作と、表示処理させるように決定する操作の両方を行なったことになる。
【００４８】
このように、ユーザーが行なう操作内容が限られるような状態のときには、第１の表示部３０は、この操作の対象となる方向指示キーの図柄６４、ファンクションキーの図柄６２ｂ、並びにテンキーの図柄５０における操作内容が「１」、「２」及び「３」であるものを囲むような点線を表示して、分かりやすくしている。
【００４９】
また、この携帯電話機２０は、このようなリンクデータを表示する操作が行なわれた場合であって、このリンクデータが画像データである場合には、図５に示すように、この画像データを操作部２６の第１の表示部３０に表示させるようになっている。
【００５０】
そして、このリンクデータを表示する操作を行なう前の状態（図４参照）に復帰させることができるようにするため、図５に示すように、第１の表示部３０は、その表示領域内であってリンクデータを表示している部分の領域の外側に、復帰キーの図柄６６を表示するようになっており、透過式タッチパネル２８は、この復帰キーの図柄６６に対応する位置を押下する操作だけを受付けるようになり、この操作以外の操作を受付けないようになっている。
【００５１】
また、図示しないが、この携帯電話機２０は、画像データ以外の文書等のリンクデータが対応づけられた電子メールの文書が第２の表示部３４に表示されているときに、このリンクデータを表示する操作が行なわれた場合には、このリンクデータを第１の表示部３０には表示させずに、第２の表示部３４に表示するようになっている。
【００５２】
例えば、リンクデータとして、インターネットのＷｅｂページのＵＲＬであったならば、Ｗｅｂページの閲覧に関してはページ更新の要求やページ送りなどのカーソル操作などを行わなくてはならないため、第１の表示部３０を用いた表示は適していないため、制御部は第２の表示部３４に表示を行うよう制御する。
【００５３】
このような本実施の形態に係る携帯電子機器２０によれば、利用する機能等を変更したときには、この機能に対応する操作キーの操作内容が表示されるようになっているので、操作キーの操作内容について混乱が生じることを防いで、操作性を向上させることができる。
【００５４】
また、第２の表示部３４に画像のリンクデータが対応付けられた文書等を表示しているときに、このリンクデータを表示する操作が行なわれた場合には、このリンクデータを第１の表示部３０に表示するようにしたので、第２の表示部３４に表示した文書等と第１の表示部３０に表示した画像のリンクデータを同時に見ることができる。
【００５５】
また、画像のリンクデータを第１の表示部３０に表示させた場合には、第１の表示部３０に復帰キーの図柄６６を表示すると共に、透過式タッチパネル２８におけるこの復帰キーの図柄６６に対応する位置を押下したときに、画像のリンクデータを表示させる前の状態に戻すことができるようになっているので、操作性を向上させることができる。
【００５６】
また、ユーザーが行なう操作内容が限られるような状態のときには、第１の表示部３０が、この操作の対象となる操作キーの図柄を点線で囲むように表示して分かりやすくしているので、操作性を向上させることができる。
【００５７】
なお、本実施の形態では、第１の表示部３０に液晶ディスプレイを用いるようにしたが、有機ＥＬ（エレクトロルミネッセンス）ディスプレイ等を用いるようにしてもよい。
【００５８】
また、本実施の形態では、第２のサイドキー３６を操作することにより、第１の表示部３０に底面３２ａの操作キーの図柄とは異なる他の操作キーの図柄を新たに表示させる場合や、このように第１の表示部３０に表示させた操作キーの図柄を、さらに別の操作キーの図柄に変更する場合について説明したが、図１に示すように、第２の表示部３４にメニューをアイコンで表示しているときに、いずれかのアイコンを選択して所定の機能を起動させたような場合に、この機能に対応して第１の表示部３０が表示する操作キーの図柄が変更されるようになっていてもよい。
【００５９】
また、本実施の形態では、第２のサイドキー３６を操作することにより、第１の表示部３０に操作キーの図柄が表示される場合等について説明したが、アイコンが表示されるようになっていてもよい。
【００６０】
また、本実施の形態では、携帯電話機２０に本発明を適用した場合について説明したが、ＰＤＡや携帯ゲーム機のような他の携帯電子機器に、本発明を適用することができることはいうまでもない。
【００６１】
また、空調機器やオーディオ・ビデオ機器などのリモコン装置に対しても、本発明を適用することができる。
【図面の簡単な説明】
【００６２】
【図１】本発明の一実施の形態に係る携帯電話機２０を示す平面図であって、第１の表示部３０に表示動作を行なわせない場合の図である。
【図２】図１に示す携帯電話機２０のＡ−Ａ矢視の断面図である。
【図３】本発明の一実施の形態に係る携帯電話機２０を示す平面図であって、第１の表示部３０の表示領域の全部に表示動作を行なわせた場合の図である。
【図４】本発明の一実施の形態に係る携帯電話機２０を示す平面図であって、第１の表示部３０の表示領域の一部に表示動作を行なわせた場合の図である。
【図５】本発明の一実施の形態に係る携帯電話機２０を示す平面図であって、第１の表示部３０に画像のリンクデータを表示させた場合の図である。
【図６】従来のリモコン装置６を示す斜視図である。
【符号の説明】
【００６３】
２  本体ケース
４  ボード
４ａ  突起
６  リモコン装置
８  タッチパネル
２０  携帯電話機
２２  第１筐体
２４  第２筐体
２６  操作部
２８  透過式タッチパネル
３０  第１の表示部
３２  凹部
３２ａ  底面
３４  第２の表示部
３５  第１のサイドキー
３６  第２のサイドキー
５０  テンキーの図柄
５２ａ，５２ｂ，５２ｃ，５２ｄ  ファンクションキーの図柄
５４  方向指示キーの図柄
５８ａ，５８ｂ，５８ｃ，５８ｄ  ファンクションキーの図柄
６０  方向指示キーの図柄
６２ａ，６２ｂ，６２ｃ  ファンクションキーの図柄
６４  方向指示キーの図柄
６６  復帰キーの図柄
【図１】
2005244810.tif 000003
【図２】
2005244810.tif 000004
【図３】
2005244810.tif 000005
【図４】
2005244810.tif 000006
【図５】
2005244810.tif 000007
【図６】
2005244810.tif 000008